(57)【要約】【課題】発射された遊技球の回転量を増加させることができる遊技機の球案内通路を提供すること。【解決手段】パチンコ遊技機６の球案内通路１は、遊技球８の飛び方向に沿って設けられ、遊技球８を所望方向に誘導するためのものである。球案内通路１を構成する外側レール１５は、遊技領域区画形成部材としての内側レール２の先端部２０３に対面する位置を基点Ｂとした前後位置であって、遊技球８が沿って移動する範囲に、遊技球８の回転量を増加させるための回転量増加手段としての磁石体１１を有する。【選択図】図２
2007007271.tif 000002
【特許請求の範囲】
【請求項１】
遊技球の飛び方向に沿って設けられ、遊技球を所望方向に誘導するための遊技機の球案内通路において、
遊技領域区画形成部材の先端部を基点とした前後位置であって、遊技球が沿って移動する範囲に、遊技球の回転量を増加させるための回転量増加手段を有することを特徴とする遊技機の球案内通路。
【発明の詳細な説明】
【技術分野】
【０００１】
本発明は、パチンコ遊技機、アレンジボール遊技機等に用いられる球案内通路に関する。
【背景技術】
【０００２】
例えば、パチンコ遊技機等の遊技機には、遊技球の発射方向に沿って設けられ、遊技球を所望方向に誘導するための球案内通路が設けられている。この球案内通路の構造としては、例えば、特許文献１〜３等に開示されている。
【０００３】
従来、遊技機の球案内通路構造は、例えば、遊技機の盤面拡大等によって発射時の遊技球の軌道にばらつき・ぶれ等が発生し、遊技球の回転量の減少や、充分な回転を与えることができないので、例えば遊技領域内に配置された釘等の障害物に、遊技球が衝突した際の遊技球の跳ね返り（流下軌道の変化）に適度なバラツキが発生せず、その結果、球飛びに意外性、趣向性を与えることができないといった問題があった。
そのため、発射された遊技球の回転量を簡易的に増加させることができる、または調整することができる遊技機の構造が求められていた。
【０００４】
【特許文献１】特開平１０−３３７６１号公報
【特許文献２】特開平６−２６９５４２号公報
【特許文献３】特開２００５−２１２１７号公報
【発明の開示】
【発明が解決しようとする課題】
【０００５】
本発明は、かかる従来の問題点に鑑みてなされたもので、発射された遊技球の回転量を増加させることができる遊技機の球案内通路を提供しようとするものである。
【課題を解決するための手段】
【０００６】
本発明は、遊技球の飛び方向に沿って設けられ、遊技球を所望方向に誘導するための遊技機の球案内通路において、
遊技領域区画形成部材の先端部を基点とした前後位置であって、遊技球が沿って移動する範囲に、遊技球の回転量を増加させるための回転量増加手段を有することを特徴とする遊技機の球案内通路にある（請求項１）。
【０００７】
本発明の球案内通路は、上記遊技領域区画形成部材の先端部を基点とした前後位置であって、遊技球が沿って移動する範囲に、遊技球の回転量を増加させるための回転量増加手段を有する。これにより、遊技球が上記球案内通路に沿って移動すると、遊技球は、上記回転量増加手段によって回転量を増加させることができる。即ち、上記球案内通路によって、遊技球の回転量を増加させることができる。
【発明を実施するための最良の形態】
【０００８】
本発明においては、上記回転量増加手段として、上記球案内通路の裏面側には、遊技球を磁気的に吸引するための磁石体を有することが好ましい。
この場合には、発射された遊技球は、上記磁石体の磁力によって吸引され、上記球案内通路側に付勢される。そして、遊技球は、この付勢力を受けながら上記球案内通路に沿って移動することにより、回転量を増加させることができる。
【０００９】
なお、上記磁石体の磁力の強さ、上記磁石体と上記球案内通路の裏面との間の距離等を調整することにより、遊技球における回転量の増加の度合いを変化させることができる。
また、上記磁石体の設置位置を調整することにより、発射された遊技球の軌道のばらつき・ぶれ等を抑制することができる。これにより、遊技球の軌道をより安定なものとすることができる。
【００１０】
また、上記回転量増加手段として、上記球案内通路の表面には、該球案内通路に接触する遊技球との摩擦力を増大させるための凹凸面が設けてあることが好ましい。
この場合には、発射された遊技球は、上記凹凸面に接触することによって、より大きな摩擦力を受ける。そして、遊技球は、この摩擦力を受けることにより、回転量を増加させることができる。
【００１１】
なお、上記凹凸面の摩擦係数が大きすぎると、上記凹凸面に接触するたびに遊技球の速度が大きく低減してしまう。そのため、遊技球の速度が充分確保されるように、上記凹凸面を交換可能に構成する等により、上記凹凸面の摩擦係数や凹凸形状等を調整可能に構成するとよい。
【００１２】
また、上記回転量増加手段として、上記球案内通路の表面は、遊技球の移動方向の一部又は全ての領域において遊技球との接触位置が２点であると共に、その間隔は遊技球の走行する方向に向かって徐々に拡大するように設けてあることが好ましい。
この場合には、発射された遊技球は、上記形状を有する上記球案内通路上を移動するとき、該球案内通路に対して上記２点の接触位置に接触しながら移動する。そして、両接触位置の間隔は、遊技球の走行する方向に向かって徐々に拡大する。このことは、移動方向に正回転する遊技球の回転中心軸から上記接触位置までの距離（接触半径とする）が、徐々に小さくなることを意味する。これにより、略同一速度で進む遊技球は、上記接触半径の縮小に伴って、徐々に回転量を増加させることができる。
なお、本発明において、上記球案内通路の表面とは、遊技球が接触する側の面である。
【実施例】
【００１３】
（実施例１）
本発明の実施例にかかる遊技機の球案内通路について、図１、図２を用いて説明する。
本例の球案内通路１は、図１に示すごとく、遊技機としてのパチンコ遊技機６に用いるものである。
球案内通路１は、図１、図２に示すごとく、遊技球８の飛び方向に沿って設けられ、遊技球８を所望方向に誘導するためのものである。そして、球案内通路１を構成する外側レール１５は、遊技領域区画形成部材としての内側レール２の先端部２０３に対面する位置を基点Ｂとした前後位置であって、遊技球８が沿って移動する範囲に、遊技球８の回転量を増加させるための回転量増加手段を有する。
以下、これを詳説する。
【００１４】
パチンコ遊技機６は、図１に示すごとく、外枠（図示略）と、外枠に対して開閉可能に設けられた本体枠６０と、本体枠６０の前面に設けられ、本体枠６０に対して開閉可能に設けられたガラス扉（図示略）とを有している。
本体枠６０の前面には、遊技盤６１が設けられている。遊技盤６１には、パチンコ遊技を行う遊技領域６２が形成されている。
【００１５】
遊技盤６１の前面には、遊技領域６２を囲うように遊技領域形成レール６２１が設けられている。
また、同じく遊技盤６１の前面には、後述の球発射装置４から発射された遊技球８を遊技領域６２に案内するための外側レール１５と、この外側レール１５の内側に対向するように設けられ、遊技領域６２の一部を区画形成する内側レール２（遊技領域区画形成部材）とが設けられており、球案内通路１を構成する要素となっている。
【００１６】
また、同図に示すごとく、本体枠６０には、遊技球８を発射するための球発射装置４が備えられている。そして、本体枠６０の前面には、遊技球８の発射強度を調節するための操作ハンドル６３と、遊技球８を貯留し、球発射装置４へと供給することができる球皿６４とが設けられている。球皿６４から遊技球８が供給された球発射装置４は、操作ハンドル６３の操作を受け、遊技領域６２に向けて遊技球８を発射させることができる。
なお、本例の球発射装置４は、略垂直方向に向けて遊技球８を発射する垂直発射タイプのものである。球発射装置４は、遊技球８を球発射装置４内の発射位置（図示略）から発射方向Ａに向けて発射することができるように構成されている。
【００１７】
また、球案内通路１は、図１、図２に示すごとく、遊技球８の発射方向Ａに沿って略円弧状に設けられており、発射された遊技球８を遊技領域６２に案内することができる。
また、球案内通路１を構成する外側レール１５の裏面１０２側の、後述する戻り防止弁２１に対向する付近、つまり、内側レール２（遊技領域区画形成部材）の先端部２０３に対面する外側レール１５における位置を基点Ｂとした外側レール１５の前後位置には、回転量増加手段としての磁石体１１が設けられている。この磁石体１１は、遊技球８を磁気的に吸引することができ、球案内通路１に沿って移動する遊技球８の回転量を増加させることができる。
【００１８】
また、磁石体１１は、外側レール１５を支持する支持部分に設けた凹部に埋め込む状態で外側レール１５の裏面１０２に接するように配設されている。
また、磁石体１１は、ソレノイド、モータ等の駆動手段を用いて移動させることにより、外側レール１５の裏面１０２との距離を自由に変えることができるように構成してもよい。さらに、磁石体１１は、外側レール１５の幅方向（遊技機の前後方向）の中央部に設けられている。
【００１９】
なお、本例の磁石体１１としては、フェライト磁石を用いた。これ以外にも、ネオジウム磁石等を用いることができる。また、磁石体１１は、外側レール１５の裏面１０２側の全体に設けてもよいし、一部に設けてもよい。また、外側レール１５の幅方向の全体に設けてもよいし、中央部だけに設けてもよい。
【００２０】
また、図１、図２に示すごとく、内側レール２の先端部２０３には、球案内通路１から遊技盤６１の遊技領域６２に案内された遊技球８が、再び球案内通路１に戻ってしまうことを防止するための戻り防止弁２１が設けられている。戻り防止弁２１は、弾性体で構成されており、止め具２１１によって内側レール２の先端部２０３に固定されている。
また、この戻り防止弁２１は、球案内通路１から遊技領域６２に飛び出そうとする遊技球８の球圧を受けると、止め具２１１を支点として遊技領域６２側に回動する。そして、遊技球８が通過すると、弾性による付勢力によって元の位置に戻る。
【００２１】
なお、本例での球案内通路１は、外側レール１５の存在している領域を意味しており、図１における、球発射元側の外側レール１５の始点１５１から、戻り防止弁２１よりも遊技領域６２側の終点１５２までの、外側レール１５に沿った部分を意味する。
【００２２】
次に、パチンコ遊技機６の動作及び作用効果について説明する。
パチンコ遊技を行う遊技者が操作ハンドル６３を操作すると、遊技球８は、球発射装置４によって発射位置から発射方向Ａに１球ずつ発射される。
発射された遊技球８は、図２に示すごとく、外側レール１５における第１接触点８１、第２接触点８２の順に接触し、外側レール１５に沿って移動する。ここで、球案内通路１は、略円弧状に形成されているため、遊技球８は遠心力を受けながら移動する。そして、第２接触点８２に接触後は、そのまま外側レール１５の表面１０１に接触しながら移動する。
【００２３】
本例では、外側レール１５の裏面１０２側の戻り防止弁２１に対向する付近、つまり、内側レール２（遊技領域区画形成部材）の先端部２０３に対面する外側レール１５における位置を基点Ｂとした外側レール１５の前後位置には、回転量増加手段としての磁石体１１が設けられている。
そのため、球案内通路１内を移動する遊技球８は、この磁石体１１の磁力によって吸引され、外側レール１５側に付勢力を受ける。この付勢力により、遊技球８が外側レール１５に接触する力（摩擦力）が増大され、その結果、回転量が増加する。
そして、回転量を増加させた遊技球８は、球案内通路１から戻り防止弁２１を通過して、遊技領域６２に飛び出す。
【００２４】
なお、磁石体１１を配設する領域は、外側レール１５の基点Ｂを含む、少なくとも球５個分以上の領域であることが好ましい。また、磁石体１１を配設する領域が長すぎると、遊技球８の速度が低減する可能性がある。そのため、磁石体１１を配設する領域は、球１０個分以下の領域に限定することが好ましい。
また、本例では、回転量増加手段としての磁石体１１を配設する領域は、外側レール１５の基点Ｂの前後位置であり、戻り防止弁２１の前後両方にまたがるように設定したが、戻り防止弁２１よりも前の領域のみに磁石体１１を配設してもよい。
【００２５】
また、磁石体１１は、球案内通路１の裏面１０２との距離を自由に変えることができるように構成してもよい。この場合は、磁石体１１と球案内通路１の裏面１０２との間の距離を調整することにより、遊技球８における回転量の増加の度合いを自由に変化させることができる。また、磁石体１１自体の磁力を調整することによっても、上記と同様の効果を得ることができる。
【００２６】
また、磁石体１１は、球案内通路１の幅方向の中央部に設けてある。そのため、パチンコ遊技機６の前後方向において、発射された遊技球８の軌道を安定させることができる。これにより、遊技球８の軌道のばらつき・ぶれ等を抑制し、遊技球８が遊技盤６１やガラス扉にぶつかることを防止することができる。
【００２７】
また、戻り防止弁２１は、弾性体で構成されている。そのため、遊技球８が戻り防止弁２１を通過するとき、戻り防止弁２１は、遊技球８の球圧を受けて振動する。ところが、本例の戻り防止弁２１は、磁石体１１の磁力による付勢力を受けている。そのため、遊技球８の通過によって生じる戻り防止弁２１の振動を、この付勢力によって抑制することができ、遊技球８が戻り球防止弁２１を通過するときに遊技球８にかかる上記戻り球防止弁２１による弾性圧のばらつき度合いを減少させることができる。
【００２８】
また、ガラス扉が閉じられた状態（通常の遊技状態）において、外側レール１５の第１接触点８１及び第２接触点８２を、パチンコ遊技機６の前方からガラス扉を通して視認することができるように構成されている。そのため、外側レール１５の第１接触点８１及び第２接触点８２の汚れ具合を容易に確認することができる。
【００２９】
このように、本例によれば、少なくとも遊技領域区画形成部材の先端部の前後方向に回転量増加手段を設けることで、初速を有して移動する遊技球が、安定して球案内通路に接触することができる位置で、遊技球に対して回転を付与することができる。
【００３０】
（実施例２）
本例は、実施例１において、球案内通路１を構成する外側レール１５の裏面１０２側の一部の複数箇所に回転量増加手段としての磁石体１１を有している例である（図２参照）。
本例では、実施例１の場合に加えて、外側レール１５の裏面１０２側の２箇所にも、さらに磁石体を有している。即ち、磁石体１１は、外側レール１５における第１接触点８１及び第２接触点８２（図２参照）付近にも設けられている。
その他は、実施例１と同様の構成である。
【００３１】
この場合には、発射された遊技球８は、第１接触点８１及び第２接触点８２付近に設けられた磁石体の磁力によって外側レール１５側に付勢力を受ける。そして、遊技球８は、この付勢力を受けて球案内通路１内を移動するため、外側レール１５の第１接触点８１及び第２接触点８２に確実に接触することができる。そのため、発射された遊技球８の軌道のばらつき・ぶれ等を抑制することができる。それ故、遊技球８の軌道をより安定なものとすることができる。
その他は、実施例１と同様の作用効果を有する。
【００３２】
（実施例３）
本例は、実施例１における磁石体に代えて、球案内通路１を構成する外側レール１５の表面１０１に回転量増加手段としての凹凸面を設けた例である。
本例では、外側レール１５の表面１０１に凹凸面が設けられている。つまり、この凹凸面を設けることにより、外側レール１５の表面１０１の摩擦係数を大きくしている。上記凹凸面は、外側レール１５の表面１０１の全体に設けてもよいし、一部に設けてもよい。ただし、遊技球８が外側レール１５と接触する部分に設けることが必要である。
その他は、実施例１と同様の構成である。
【００３３】
この場合には、発射された遊技球８は、上記凹凸面に接触することによって、より大きな摩擦力を受ける。そして、遊技球８は、この摩擦力を受けることにより、回転量を増加させることができる。
なお、上記凹凸面の摩擦係数が大きすぎると、該凹凸面に接触するたびに遊技球８の速度が大きく低減してしまう。そのため、遊技球８が遊技領域４２に飛び出すとき、充分な速度が確保されるように、上記凹凸面の摩擦係数や凹凸形状等を調整することが必要である。
【００３４】
また、上記凹凸面を設ける方法としては、外側レール１５の表面１０１に直接凹凸を加工する方法、外側レール１５に摩擦係数の大きな部材を用いる方法、外側レール１５上に摩擦係数の大きな部材を取り付ける方法等を採用することができる。
上記凹凸を加工する方法としては、梨地加工、エンボス加工等を採用することができる。また、上記摩擦係数の大きな部材としては、アルミニウム等を用いることができる。
その他は、実施例１と同様の作用効果を有する。
【００３５】
（実施例４）
本例は、図３、図４に示すごとく、実施例１における磁石体に代えて、球案内通路１を構成する外側レール１５の表面１０１に回転量増加手段としての溝１２を設けた例である。
本例では、同図に示すごとく、外側レール１５の表面１０１の一部又は全ての領域において、切り欠いて形成した溝１２が設けられている。溝１２は、遊技球８の移動方向に沿って設けられており、溝１２の幅方向の間隔は、遊技球８の走行する方向（図中の矢印方向）に向かって徐々に拡大するように設けられている。溝１２は、外側レール１５の幅方向の中央部に設けられている。
【００３６】
なお、本例の溝１２は、図３、図４に示すごとく、外側レール１５の幅方向断面において切り欠いて形成したが、切り欠くことなく成形してＶ字断面形状あるいはＵ字断面形状等を採用することができる。
その他は、実施例１と同様の構成である。
【００３７】
この場合には、発射された遊技球８は、上記の形状を有する外側レール１５上を移動するとき、外側レール１５の表面１０１に設けられた溝１２に沿って移動する。つまり、図４（ａ）に示すごとく、外側レール１５に対して１点の接触位置１２０に接触しながら移動していた遊技球８は、図４（ｂ）（ｃ）に示すごとく、やがて２点の接触位置１２１、１２２に接触しながら移動する。そして、両接触位置１２１、１２２の間隔は、遊技球８が走行するに従って徐々に大きくなる。
【００３８】
このことは、図４に示すごとく、移動方向に正回転する遊技球８の回転中心軸Ｃから接触位置１２１、１２２までの距離である接触半径Ｒ１、Ｒ２が、最初の接触位置１２０までの距離である接触半径Ｒ０に比べて徐々に小さくなることを意味する。接触半径Ｒ０とは、接触位置が１点の場合の回転中心軸Ｃから接触位置、つまり、遊技球の中心Ｄから接触位置までの距離（遊技球の見かけ上の半径の大きさ）である。
これにより、略同一速度で進む遊技球８は、接触半径Ｒ１、Ｒ２の縮小に伴って、徐々に回転量を増加させることができる。なお、本例の接触半径Ｒ１、Ｒ２は、同じ距離（Ｒ１＝Ｒ２）である。
【００３９】
また、溝１２は、外側レール１５の幅方向の中央部に設けてある。そのため、パチンコ遊技機６の前後方向において、発射された遊技球８の軌道を安定させることができる。これにより、遊技球８の軌道のばらつき・ぶれ等を抑制し、遊技球８が遊技盤６１やガラス扉にぶつかることを防止することができる。
その他は、実施例１と同様の作用効果を有する。
【図面の簡単な説明】
【００４０】
【図１】実施例１における、パチンコ遊技機の構成を示す説明図。
【図２】実施例２における、球案内通路周辺を示す拡大図。
【図３】実施例４における、球案内通路の表面の形状を示す説明図。
【図４】実施例４における、球案内通路の幅方向断面の形状を示す、（ａ）図３のＸ−Ｘ線矢視断面図、（ｂ）図３のＹ−Ｙ線矢視断面図、（ｃ）図３のＺ−Ｚ線矢視断面図。
【符号の説明】
【００４１】
１  球案内通路
１１  磁石体
１５  外側レール
２  内側レール
２０３  先端部（内側レールの先端部）
６  パチンコ遊技機
８  遊技球
Ｂ  基点
【図１】
2007007271.tif 000003
【図２】
2007007271.tif 000004
【図３】
2007007271.tif 000005
【図４】
2007007271.tif 000006